(57)【要約】  家具または家具部品の横及び／又は垂直調整のための調整装置（１）、例えば、ワードローブの垂直調整のため、引き出しのフロントカバーの横方向の位置合わせのためなどの調整装置（１）が開示される。上記調整装置（１）は、略円柱状の駆動部品（２）と、駆動部品（２）のための受け孔（４）が設けられるベアリング部品（３）とを備える。駆動部品（２）および受け孔（４）は、駆動部品（２）をその長手方向軸を中心に回転させることによって駆動部品（２）がベアリング部品（３）に対して軸方向に移動されるように積極的に接続される。駆動部品（２）の外周は、少なくとも１つの閉じられたカムギア型ガイド溝（５９を有し、一方、上記ガイド溝（５）に係合する少なくとも１つのカム（７）がベアリング孔（４）の内部湾曲領域に設けられる。ガイド溝（７）は、駆動部品（２）の全回転がベアリング部品（３）に対する駆動部品（２）の完全に逆の軸方向変位を引き起こすように延びており、したがって、駆動部品を一方向に回転させるだけで調整を行なうことができる。【選択図】  図１
2010504182.tif 000002
【特許請求の範囲】
【請求項１】
家具または家具部品の横及び／又は垂直調整のための調整装置（１）、例えば、キャビネットの垂直調整のため、引き出しフロントパネルの横方向の位置合わせのためなどの調整装置（１）であって、略円柱状の駆動部品（２）と、駆動部品（２）のためのレセプタクル穴（４）が設けられるベアリング部品（３）とを有し、ベアリング部品（３）に対する駆動部品（２）の軸方向変位が駆動部品（２）のその長手方向軸周りの回転によって行なわれるように駆動部品（２）とレセプタクル穴（４）との間に形状嵌合が存在する調整装置（１）において、
駆動部品（２）には、その外周にわたって、カム機構に類するそれ自体が閉じられる少なくとも１つのガイド溝（５）が設けられ、このガイド溝（５）に係合する少なくとも１つのカム（７）がベアリング穴（４）のソフィットの領域に設けられ、ガイド溝（７）が、駆動部品（２）の全回転がベアリング部品（３）に対する駆動部品（２）の完全な逆の軸方向変位を引き起こすような経路を有することを特徴とする、調整装置。
【請求項２】
家具または家具部品の横及び／又は垂直調整のための調整装置（１）、例えば、キャビネットの垂直調整のため、引き出しフロントパネルの横方向の位置合わせのためなどの調整装置（１）であって、略円柱状の駆動部品（２）と、駆動部品（２）のためのレセプタクル穴（４）が設けられるベアリング部品（３）とを有し、ベアリング部品（３）に対する駆動部品（２）の軸方向変位が駆動部品（２）のその長手方向軸周りの回転によって行なわれるように駆動部品（２）とレセプタクル穴（４）との間に形状嵌合が存在する調整装置（１）において、
レセプタクル穴（４）には、そのソフィットの領域に、カム機構に類するそれ自体が閉じられる少なくとも１つのガイド溝（５）が設けられ、このガイド溝（５）に係合する少なくとも１つのカム（７）が駆動部品（２）に設けられ、ガイド溝（７）が、駆動部品（２）の全回転がベアリング部品（３）に対する駆動部品（２）の完全な逆の軸方向変位を引き起こすような経路を有することを特徴とする、調整装置。
【請求項３】
それらの経路に関して互いに対向して延び且つ１つのポイント（６）で互いに入り込んで合致するように通過する２つのガイド溝（５）と、互いに径方向に１８０°オフセットされ且つガイド溝（５）のピッチ寸法分だけ互いに軸方向にオフセットされて位置される２つのカム（７）とが設けられることを特徴とする、請求項１または２に記載の調整装置。
【請求項４】
それらの経路に関して互いに対向して延び、それ自体閉じられるとともに、互いに離間して延びるガイド溝（５）が設けられ、１つのカム（７）がこれらのガイド溝（５）のそれぞれと係合することを特徴とする、請求項１または２に記載の調整装置。
【請求項５】
それぞれがそれ自体閉じられ、離間されるとともに、互いに平行に延びる複数のガイド溝（５）が設けられ、少なくとも１つのカム（７）がこれらのガイド溝（５）のそれぞれと係合することを特徴とする、請求項１または２に記載の調整装置。
【請求項６】
前記ガイド溝（５）の断面が略半円形であり、前記カム（７）の断面がガイド溝（５）の断面に適合されることを特徴とする、請求項１〜５のいずれか一項に記載の調整装置。
【請求項７】
前記駆動部品（２）には、該駆動部品（２）の外周に互いに１８０°オフセットして設けられる２つの軸方向溝（８）が設けられ、前記軸方向溝のうちの一方が、ガイド溝（５）が互いに入り込む領域（スイッチ６）へと開口することを特徴とする、請求項１〜６のいずれか一項に記載の調整装置。
【請求項８】
前記軸方向溝（８）の深さが前記ガイド溝（５）の深さよりも僅かに浅いことを特徴とする、請求項７に記載の調整装置。
【請求項９】
前記駆動部品（２）には、少なくとも１つの正面領域に、工具をあてがうための凹部（２ａ）、特に交差スリット凹部（２ａ）が設けられていることを特徴とする、請求項１〜８のいずれか一項に記載の調整装置。
【請求項１０】
前記駆動部品（２）にはその正面のうちの１つの領域にドライバ（１０）が設けられ、該ドライバには駆動部品（２）の周期回転のための装置（１１）が係合することを特徴とする、請求項１〜９のいずれか一項に記載の調整装置。
【請求項１１】
前記駆動部品（２）及び／又はレセプタクル部品（３）、しかし好ましくは両方の構成要素（２，３）が弾性材料から形成されることを特徴とする、請求項１〜１０のいずれか一項に記載の調整装置。
【請求項１２】
前記ベアリング部品（３）が２つのベアリング部品半体を備え、分割面がレセプタクル穴（４）の中心点を通って延びることを特徴とする、請求項１〜１１のいずれか一項に記載の調整装置。
【請求項１３】
１つ以上のガイド溝（５）が、１８０°よりも大きい回転角度範囲にわたって立ち上がるように設けられ、それに対応して、より小さい残りの回転角度範囲にわたって更に激しく降下するように設けられることを特徴とする、請求項１〜１２のいずれか一項に記載の調整装置。
【発明の詳細な説明】
【技術分野】
【０００１】
本発明は、家具または家具部品の横調整または垂直調整のための調整装置、例えば、キャビネットの垂直調整装置のため、引き出しフロントパネルの横方向の位置合わせのためなどの調整装置であって、略円柱状の駆動部品と、駆動部品のためのレセプタクル穴が設けられるベアリング部品とを有し、ベアリング部品に対する駆動部品の軸方向変位が駆動部品のその長手方向軸周りの回転によって起こるように駆動部品とレセプタクル穴との間に形状嵌合が存在する調整装置に関する。
【背景技術】
【０００２】
前述したタイプの調整装置は、特に家具構造における種々の実施形態で知られており、この時点まで、駆動部品が好ましくはネジとして設けられ、また、ベアリング部品のレセプタクル穴には対応する雌ネジが設けられる。このタイプの調整装置は、基本的にその力量を示してきており、所望の調整機能に関して不服はない。
【発明の概要】
【発明が解決しようとする課題】
【０００３】
一方、ネジ原理に基づく調整装置は、反対方向の調整が基本的に駆動部品の異なる回転方向を必要とし、また、ネジ構造に起因して、ネジ構造を介して加えられる場合がある大きな力によって互いに対して調整されるべき部品が損傷され或いは破壊されることさえあるという危険が起こり易い、という欠点を有している。
【０００４】
本発明は、特に過度の伸びが効果的に回避される前述したタイプの簡略化された調整装置を提供するという目的に基づいている。
【課題を解決するための手段】
【０００５】
この目的の１つの解決策によれば、駆動部品には、その外周にわたって、カム機構に類するそれ自体が閉じられる少なくとも１つのガイド溝が設けられ、このガイド溝に係合する少なくとも１つのカムがベアリング穴のソフィットの領域に設けられ、ガイド溝は、駆動部品の全回転がベアリング部品に対する駆動部品の完全な逆の軸方向変位を引き起こすような経路を有する。
【０００６】
前述した構造の運動学的に逆と見なされるべき本発明に係る目的の更なる解決策によれば、ベアリング穴には、そのソフィットの領域に、カム機構に類するそれ自体が閉じられる少なくとも１つのガイド溝が設けられ、このガイド溝に係合する少なくとも１つのカムが駆動部品に設けられ、ガイド溝は、駆動部品の全回転がベアリング部品に対する駆動部品の完全な逆の軸方向変位を引き起こすような経路を有する。
【０００７】
本発明に係る目的の２つの達成は、駆動部品を１つの回転方向に回転させるだけで調整を行なうことができるという利点を与える。本発明に係る構造により、特定の適用される回転方向に関係なく、駆動部品が２つの最大調整位置間で軸方向に前後に移動される。駆動部品が１つの最大移動経路だけを有しているため、互いに調整できる部品の過度の伸びが効果的に防止される。
【０００８】
本発明の更なる特徴が従属請求項の主題である。
【０００９】
以下で更に詳しく説明される本発明の典型的な実施形態が添付図面に示されている。
【図面の簡単な説明】
【００１０】
【図１】本発明に係る調整装置の断面を示している。
【図２】図１においてIIによって特定される細部を拡大図で示している。
【図３】図１における矢印IIIの方向での調整装置のベアリング部品の部分図を示している。
【図４】図１から外れた調整位置における図１に対応する断面図を示している。
【図５】更なる調整位置における図１および図４に準じた断面図を示している。
【図６】様々な視角からの調整装置の斜視部分断面図を示している。
【図７】様々な視角からの調整装置の斜視部分断面図を示している。
【図８】ａ〜ｃは様々な回動位置における調整装置の駆動部品の斜視図を示している。
【図９】様々な視角から示される本発明の更なる典型的な実施形態に係る調整装置の斜視断面図を示している。
【図１０】様々な視角から示される本発明の更なる典型的な実施形態に係る調整装置の斜視断面図を示している。
【図１１】本発明の更なる典型的な実施形態に係る調整装置の駆動部品の正面図を示している。
【図１２】図１１に係る駆動部品の斜視図を示している。
【図１３】様々な視角から示される本発明の更なる典型的な実施形態に係る調整装置の斜視断面図を示している。
【図１４】様々な視角から示される本発明の更なる典型的な実施形態に係る調整装置の斜視断面図を示している。
【図１５】本発明の更なる典型的な実施形態に係る調整装置の斜視部分断面図を示している。
【図１６】本発明の更なる典型的な実施形態に係る調整装置の斜視部分断面図を示している。
【図１７】本発明の更なる典型的な実施形態に係る調整装置の斜視部分断面図を示している。
【図１８】本発明の更なる典型的な実施形態に係る調整装置の斜視部分断面図を示している。
【発明を実施するための形態】
【００１１】
家具部品の横及び／又は垂直調整のための調整装置が図面のそれぞれにおいて参照符号１により特定される。
【００１２】
調整装置１は、例えばキャビネットの垂直調整装置として実施されてもよいが、調整装置１は、家具の一部分の引き出しフロントパネルの横方向位置合わせのために使用されてもよい。家具構造において非常に様々な目的で考慮に入れる調整装置１の使用は、ここでは下位の意味を成しているため、特定の調整装置１の基本構造および動作形態だけを図面に示すと共にそれに沿って以下説明する。
【００１３】
調整装置１の必須の構成要素は、いずれの場合にも、駆動部品２およびベアリング部品３である。駆動部品２は略円柱構造を有している。ベアリング部品３には、円柱駆動部品２が挿入されるレセプタクル穴４が設けられる。
【００１４】
図１〜図８に係る典型的な実施形態では、駆動部品２がカム機構に類する２つのガイド溝５を有しており、これらのガイド溝は、互いに対向して位置されるとともに、１つのポイントで互いに入り込んで合致するように設けられている。このポイントは、以下で「スイッチ」と称され、参照符号６が与えられている。
【００１５】
レセプタクル穴４のソフィットの領域に設けられた２つのカム７がガイド溝５と係合し、これらのカム７は、互いに径方向に１８０°オフセットして位置され、したがって、互いに正反対に位置するとともに、ガイド溝５のピッチ寸法分だけ駆動部品２の軸方向に互いにオフセットして位置される。
【００１６】
ガイド溝５の断面は略半円として設けられ、また、これらのガイド溝５と係合するカム７の断面はガイド溝５の断面に適合される。
【００１７】
駆動部品２には、駆動部品２を作動させるための工具をあてがうことができる凹部、好ましくは交差スリット凹部２ａが少なくとも１つの前面に設けられている。
【００１８】
駆動部品２がその長手方向軸周りに回転される場合には、カム機構に類するガイド溝５が設けられているため、これにより、駆動部品２は、その長手軸方向でベアリング部品３に対して移動されるとともに、全回転時に完全に逆転した軸方向変位を果たす。すなわち、所定の基本位置からの全回転時に、駆動部品２は、最初に一方の変位位置へと最大限に移動された後、逆方向で最大限に他方の変位位置へと移動され、それにより、３６０°回転を果たした後に再び当初の初期位置に達する。このように、駆動部品が１８０°回転すると、特定の基本位置からの最大調整が達成される。前述の特定の基本位置は、いずれの場合にも、駆動部品２の可能な端部位置のうちの１つである。
【００１９】
２つのガイド溝５がそれらの経路に関して互いに対向して延びて位置されているため、特定の調節位置において、カム７のうちの一方が前述したスイッチ６の領域に位置するとともに、他方のカム７が最大調整ストロークに対応するガイド溝５の一方の対向する頂点に位置する。駆動部品２がこの位置から回転される場合（回転方向は重要ではない）、ガイド溝内に完全に挿入されたカム７の案内により、スイッチ６の領域に位置する他方のカム７が自動的に反対側に延びるガイド溝５に挿入される。
【００２０】
この相互作用は、駆動部品２の１８０°回転毎に起こるとともに、それぞれの回転方向において及び３６０°をかなり越える繰り返しの回転の場合においていずれも駆動部品２の確実な案内を確保する。つまり、駆動部品２が最大ストローク（ガイド溝５のピッチ寸法に対応する）だけ軸方向にのみ移動されるということが常に確保される。
【００２１】
したがって、ネジに基づく調整装置とは異なり、調整されるべき家具部品の過負荷が生じ得ない。
【００２２】
カム７が設けられたレセプタクル穴４内への駆動部品２の挿入を更に容易にするため、駆動部品２には、その外周領域に、互いに反対側に位置する２つの軸方向溝８が設けられる。これらの軸方向溝８のうちの一方はスイッチ６へと方向付けられて位置されるのが有益であり、また、反対側の軸方向溝８はスイッチ６と正反対の側に位置される。軸方向溝８の深さはガイド溝５の深さよりも僅かに浅く、これは特に図５に係る断面図から分かる。
【００２３】
このように、駆動部品２と係合するためには、ここでは特に駆動部品のガイド溝５をカム７と係合させるためには、特定の力を加えることが必要であるが、カム７がガイド溝５にスナップ係合した後は、レセプタクル穴４からの駆動部品２の独立の軸方向移動が確実に防止される。無論、前述した取り付けのタイプは、少なくともベアリング部品３または駆動部品２（両方の構成要素が更によい）が弾性プラスチックから製造されるという点で更に容易にされる。言うまでもなく、駆動部品２のガイド溝５をカム７と係合させるためには、他の可能性も考えられ、例えば、駆動部品２自体及び／又はカム７が設計手段によって弾性体として設けられ、それにより、多かれ少なかれカム７がガイド溝５とスナップ係合してもよい。
【００２４】
図１〜図８に係る典型的な実施形態において、駆動部品２は、固定されていると見なされるべき構成要素９内に正面を向いて位置されており、したがって、それ自体、軸方向に移動することができない。これにより、駆動部品２が回転すると、ベアリング部品３が駆動部品２に対してその軸方向に移動される。
【００２５】
図示のこの実施形態は、引き出しフロントパネルのための横方向調整として使用されてもよく、例えば、この場合には、固定された構成要素９が引き出しの横パネルとなることができ、また、ベアリング部品３は、引き出しフロントパネルが最終的に締結される構成要素として設けられる。
【００２６】
図１〜図８に係る典型的な実施形態は、２つのガイド溝５の形態を廃し且つこのタイプのガイド溝５を１つだけ設けることにより、更に簡略化される。このとき、１つのカム７だけがこの単一のガイド溝５と係合することができるため、このタイプの簡略化された実施形態では、支持能力が幾分制限され、そのため、ここでは理論的に少なくとも駆動部品２がそのレセプタクル穴４内で傾く危険がある。しかしながら、小さな外部負荷を伴う用途では、これらの理論的考慮が無視されてもよく、そのため、このタイプの簡略化された実施形態が有利に使用されてもよい。
【００２７】
これにもかかわらず、その２つのガイド溝を有する図１〜図８に係る典型的な実施形態は、ここでは比較的平坦な構造が既に達成できるため、既に有利であると見なすこともできる。平坦とは、ベアリング部品３の厚さ、したがって、対応する更なる構成要素の厚さが薄いという意味で理解される。
【００２８】
より高い支持能力および強度並びにより良好な案内は、調整装置１全体のより大きな幅によって達成されるが、図９および図１０に係る典型的な実施形態に示されるようにそれ自体が完全に閉じられて互いに離間された２つのガイド溝５が設けられれば達成される。
【００２９】
この時点までに説明された典型的な実施形態では、ガイド溝５がそれぞれ駆動部品２に設けられ、カム７がベアリング部品３に設けられる。
【００３０】
これにもかかわらず、無論、この構造の逆の構造も可能である。すなわち、カム７が駆動部品２に設けられてもよく（図１１および図１２参照）、また、それに応じて、ガイド溝がベアリング部品３のレセプタクル穴４のソフィットの内側に設けられてもよい。しかしながら、このタイプの構造は、調整装置全体のかなり大きな取り付け幅を必要とし、したがって、具体的用途において装置全体の幅が重要でない場合におそらく有利である。
【００３１】
例えば、これは、調整装置１がキャビネット用の垂直調整装置として使用される場合、すなわち、調整装置１が家具のキャビネットタイプの一部分のための垂直に調整可能な台座ベースを実質的に形成する場合に適用される。
【００３２】
特に安定した実施形態は、駆動部品２及び／又は駆動部品３のレセプタクル穴４に複数のガイド溝７が設けられる場合にも達成され、この種の複合形態では、各ガイド溝７が互いに平行に延びて位置される。このようにすれば、支持能力、および、ベアリング穴４に対する駆動部品のジャムまたは傾きに対する安全性の両方が高められる。対応する実施形態が図１３および図１４に示されている。
【００３３】
本発明に係る調整装置１は１つの回転方向のみでの連続回転によって可逆的に調整可能であるため、対応する装置１１によって圧力または牽引力を及ぼすことによって常に１方向でのみ回転されてもよいドライバ１０が駆動部品２に有利に設けられてもよい。これは、例えば家具の一部分上にある調整装置１に十分にアクセスできない形態の場合に有利かもしれない。したがって、本発明に係る調整装置は、市販の工具を使用して到達できないアクセス不可能なポイントであっても全ての方向で快適に且つ正確に調整することもできる。
【００３４】
対応する実施形態が図１５および図１６に示されている。
【００３５】
用途に応じて、１つ以上のガイド溝５の比較的平坦な立ち上がりが比較的大きな回転角度範囲にわたって実現され、一方、それに対応してリセット時に１つ以上のガイド溝５の比較的激しい降下が小さな回転角度範囲にわたって実現されるように、１つ以上のガイド溝５の経路を選択することが望ましい場合がある。このタイプの解決策の利点は、１つのガイド溝５または複数のガイド溝５の頂点の近傍でセッティング手続きを無意識に超える場合に急速なリセットが可能であるという点である。
【００３６】
図１７および図１８は、多かれ少なかれ家具の一部分の特定の構成要素に作用するスプリング１２にテンションをかける目的で本発明に係る調整装置１が使用されてもよいことを示している。
【００３７】
図示の典型的な実施形態は、特に好ましい典型的な実施変形および用途のみを示しており、家具構造の分野における当業者であれば、家具構造における更なる用途のための対応する調整装置の変更も容易に考えられる。
【００３８】
図示の典型的な実施形態にもかかわらず、ベアリング部品３を分割して２つのベアリング部品半体から形成することも考えられる。この場合、分割面はレセプタクル穴４の中心点を通って延びる。この部分のベアリング部品３の分割は、特にガイド溝がマルチスレッド化されている場合に、調整装置１の関連する構成要素の取り付けが簡単であるという利点を与える。
【図１】
2010504182.tif 000003
【図２】
2010504182.tif 000004
【図３】
2010504182.tif 000005
【図４】
2010504182.tif 000006
【図５】
2010504182.tif 000007
【図６】
2010504182.tif 000008
【図７】
2010504182.tif 000009
【図８ａ）】
2010504182.tif 000010
【図８ｂ）】
2010504182.tif 000011
【図８ｃ）】
2010504182.tif 000012
【図９】
2010504182.tif 000013
【図１０】
2010504182.tif 000014
【図１１】
2010504182.tif 000015
【図１２】
2010504182.tif 000016
【図１３】
2010504182.tif 000017
【図１４】
2010504182.tif 000018
【図１５】
2010504182.tif 000019
【図１６】
2010504182.tif 000020
【図１７】
2010504182.tif 000021
【図１８】
2010504182.tif 000022
【国際調査報告】
2010504182.tif 000023
2010504182.tif 000024
2010504182.tif 000025
2010504182.tif 000026